(57)【特許請求の範囲】
【請求項１】
昇降装置本体の外殻を構成する平面視長方形状のケースの内部に、ワイヤ巻取り用の単一のドラムと、ドラムの両側方に配置されてドラムに接続され且つ両側に引き出された２本のワイヤの方向を転換するための２個の滑車とを配設し、該２個の滑車により方向転換された２本のワイヤに被吊り下げ物を吊り下げて成る昇降装置であって、前記平面視長方形状のケースの内部の略中央部にドラムを配設し、該ドラムの外周部を軸方向に２区画に分けて２つの巻取り部を形成し、一方の巻取り部に一方のワイヤを巻取り且つ他方の巻取り部に他方のワイヤを巻取るように設定し、前記平面視長方形状のケースの長方形の中心を通る短辺と平行な線を昇降装置本体の中心軸とし、ドラムの軸を前記昇降装置本体の中心軸に対して平面視において傾斜させると共に、該ドラムの軸と前記２個の滑車の軸とを互いに平行にし、前記２個の滑車を前記昇降装置本体の中心軸に対して平面視で直交する線上に位置させ、且つ前記ドラムの回転中心と両側に配置した２個の滑車の上端部とを同一水平面上に位置させて成ることを特徴とする昇降装置。  
【発明の詳細な説明】
【０００１】
【産業上の利用分野】
本発明は、被吊り下げ物を昇降自在にするための昇降装置に関するものである。
【０００２】
【従来の技術】
従来から照明器具のような被吊り下げ物を昇降させるための昇降装置としては、図６、図７に示すように、１個のドラム１に１本のワイヤ２を巻取り自在とし、該１本のワイヤ２を滑車Ａにより１８０°方向を変え、次に滑車Ｂにより９０°方向を変え下に伸ばし、次に被吊り下げ物に設けた滑車Ｃ、滑車Ｄによってそれぞれ９０°と９０°方向を変え、更に上記１本のワイヤ２の端部を昇降装置本体内の端末止め２０に固定していた。
【０００３】
【発明が解決しようとする課題】
上記のような構成の従来例にあっては、滑車として最低４個必要であって、構造が複雑になり、また、滑車の数が多いので被吊り下げ物の昇降のスムーズさにも問題があった。しかも、滑車Ｃ、滑車Ｄは動滑車であるため、ドラム１にワイヤ２を巻き取ったり、ドラム１からワイヤ２を巻き戻したりする（つまり、被吊り下げ物を昇降する）速度が遅いという問題があった。また、ドラム１に巻く１本のワイヤ２の巻取り長さも長くなるので、ドラム１にワイヤ２を巻き取る際の整列巻きができにくいという問題もあった。更に、ドラム１には常に被吊り下げ物の荷重が一側方からワイーヤを介して作用することになり、ドラム１を回転するためのモータ１３の出力軸やギヤ１４やドラム１の軸等に上記側方からの力が作用し、出力軸やギヤや軸の耐久性に問題があり、破損しやすいという問題があった。
【０００４】
本発明は上記の従来例の問題点に鑑みて発明したものであって、その目的とするところは、簡単な構成でスムーズにドラムにワイヤを巻き取ったり、巻き戻したりして被吊り下げ物をスムーズに昇降でき、また、被吊り下げ物の昇降スピードを速くし、また、ドラムへの整列巻きがスムーズに行え、更に、モータの出力軸等の軸やギヤ等が破損しにくく、更に、整列巻きがスムーズに行えるようにしたにもかかわらず被吊り下げ物を昇降装置本体の中心軸に対して平面視で直交する線と平行に吊り下げることができて収まりを良くすることができる昇降装置を提供するにある。
【０００５】
【課題を解決するための手段】
上記の従来例の問題点を解決して本発明の目的を達成するために本発明の昇降装置は、昇降装置本体１２の外殻を構成する平面視長方形状のケースの内部に、ワイヤ巻取り用の単一のドラム１と、ドラム１の両側方に配置されてドラム１に接続され且つ両側に引き出された２本のワイヤ２の方向を転換するための２個の滑車３とを配設し、該２個の滑車３により方向転換された２本のワイヤ２に被吊り下げ物４を吊り下げて成る昇降装置であって、前記平面視長方形状のケースの内部の略中央部にドラム１を配設し、該ドラム１の外周部を軸方向に２区画に分けて２つの巻取り部５ａ、５ｂを形成し、一方の巻取り部５ａに一方のワイヤ２を巻取り且つ他方の巻取り部５ｂに他方のワイヤ２を巻取るように設定し、前記平面視長方形状のケースの長方形の中心を通る短辺と平行な線を昇降装置本体１２の中心軸１０とし、ドラム１の軸６を前記昇降装置本体１２の中心軸１０に対して平面視において傾斜させると共に、該ドラム１の軸６と前記２個の滑車３の軸７とを互いに平行にし、前記２個の滑車３を前記昇降装置本体１２の中心軸１０に対して平面視で直交する線１１上に位置させ、且つ前記ドラム１の回転中心と両側に配置した２個の滑車３の上端部とを同一水平面上に位置させて成ることを特徴とするものである。
【０００８】
【作用】
しかして、上記の構成の本発明にあっては、昇降装置本体１２にワイヤ巻取り用の単一のドラム１と、ドラム１の両側方に配置されてドラム１に接続され且つ両側に引き出された２本のワイヤ２の方向を転換するための２個の滑車３とを備え、該２個の滑車３により方向転換された２本のワイヤ２に被吊り下げ物４を吊り下げることで、１個のドラム１に２本のワイヤ２を巻き取ったり、巻き戻したりすることで機構を簡略化できることになる。そして、動滑車がないことで被吊り下げ物の昇降スピードを速くすることができる。また、ドラム１の回転中心と両側に配置した２個の滑車３の上端部とを同一水平面上に位置させることで、２本のワイヤ２が完全に巻き戻された場合には両ワイヤ２にかかる被吊り下げ物４からの引っ張り力はドラム１の中心においては相殺されることになる。また、ドラム１の外周部を軸方向に２区画に分けて２つの巻取り部５ａ、５ｂを形成し、一方の巻取り部５ａに一方のワイヤ２を巻取り且つ他方の巻取り部５ｂに他方のワイヤ２を巻取るように設定し、ドラム１の軸６と２個の滑車３の軸７とを互いに平行にすることで、２本のワイヤ２をそれぞれ２つの巻取り部５ａ、５ｂにそれぞれ独立して巻き取ることができて、整列巻きがし易いものであり、しかも、この場合、各巻取り部５ａ、５ｂに巻かれるワイヤ２は巻取り長さが短くなることで、いっそう正確に整列巻きが行えることになる。
【００１０】
【実施例】
以下本発明を添付図面に示す実施例に基づいて詳述する。昇降装置本体８の外殻を構成するケースは平面視長方形状をしており、内部の略中央部にワイヤ巻取り用の単一のドラム１が配設してある。該ドラム１はモータ１３の回転をギヤ１４を介して伝達されることで回転するようになっている。ドラム１の外周部は軸方向に２区画に区分けしてあって２つの巻取り部５ａ、５ｂが形成してあり、各巻取り部５ａ、５ｂにそれぞれワイヤ２の端部が接続してあり、この巻取り部５ａ、５ｂにそれぞれ接続した２本のワイヤ２はドラム１の両側に引き出されている。ドラム１の両側方（つまり、ドラム１の軸方向と直交する方向の両側方）にはそれぞれ滑車３が配設してある。このドラム１の両側方に配設した滑車３にそれぞれ上記ドラム１の両側に引き出したワイヤ２を懸け回して下方に方向転換してあり、照明器具のような被吊り下げ物４の両端部に２個の滑車３から下方に方向転換された２本のワイヤ２の下端部が接続してあって、ドラム１を回転することで、２本のワイヤ２をそれぞれ巻取り部５ａ、５ｂに巻き取ったり、巻き戻したりして被吊り下げ物４を上下に昇降するようになっている。
【００１１】
ここで、２本のワイヤ２のうち一方のワイヤ２は一方の巻取り部５ａにドラム１の上面側から巻き取られ、他方のワイヤ２は他方の巻取り部５ｂにドラム１の下面側から巻き取られるというように、両者は逆巻きの関係となっている。そして、本発明においては、ドラム１の回転中心（つまりドラム１の軸７）と両側に配置した２個の滑車３の上端部とが図１（ｂ）に示すように同一水平面Ｌ上に位置させてある。このことにより、図２の状態からドラム１からワイヤ２を巻き戻して図３のように被吊り下げ物４を最下点まで下げた場合、２本のワイヤ２の巻取りがなくなり、荷重が図３（ｂ）のようにワイヤ２にかかる。この時、被吊り下げ物４の荷重をＷとすると、両ワイヤ２にかかる引張り力はＷ／２となり、左右均等に引っ張られることになり、ドラム１の中心に対しては相殺される。また、垂直方向においては全く力がかかっていない。したがって、ドラム１の回転中心、すなわちギヤ、モータ軸、ドラム１の軸等にはオーバーハング荷重がかからないことになる。
【００１２】
図２、図３はモータ１３とドラム１とを並列した実施例であり、図４はモータ１３の回転軸とドラム１の軸６とを直線上に並べた例が示してある。上記実施例においてはドラム１と両側方に配置した滑車３との垂直方向における位置関係について述べたが、図５にはドラム１と両側方に配置した滑車３との平面視における位置関係が示してある。ドラム１の軸６と、ドラム１の両側方に配置した滑車３の軸７とは互いに平行となっている。また、ドラム１の軸６は昇降装置本体８の中心軸１０に対して平面視において傾斜しており（図５（ａ）においては角度θ傾斜している）、しかも、２個の滑車３は昇降装置本体８の中心軸１０に対して平面視で直交する線１１上に位置させてある。つまり、昇降装置本体８の外殻を構成するケースが平面視で長方形となっている場合、長方形の中心を通る短辺と平行な線が昇降装置本体８の中心軸１０となっており、２個の滑車３は長方形の中心を通る長辺と平行な線（この線が線１１となる）上に位置している。このように２個の滑車３を昇降装置本体８の中心軸１０に対して平面視で直交する線１１上に位置させてあることで、両滑車３で方向転換される２本のワイヤ２の下端に接続される被吊り下げ物４は昇降装置本体８に対して平面視で傾くことなく吊り下げられることになる。つまり実施例のように昇降装置本体８の外殻を構成するケースを平面視で長方形とした場合、長方形の長辺と被吊り下げ物４の長辺とが平行となるように配置される。しかも、このように、被吊り下げ物４が昇降装置本体８に対して平面視で傾くことなく吊り下げられるようにしたにもかかわらず、ドラム１の軸６と滑車３の軸７とを平行としてあるので、２本のワイヤ２をそれぞれ２つの巻取り部５ａ、５ｂにそれぞれ独立して巻き取ることができて、整列巻きがし易いものである。しかも、この場合、動滑車を用いないので、各巻取り部５ａ、５ｂに巻かれるワイヤ２は巻取り長さが短くなって、いっそう正確に整列巻きが行え、スムーズな昇降が可能となる。また、動滑車を用いないので滑車の構成が簡略化されて、ワイヤが傷つかず、異音が発生しないようにできるものである。
【００１３】
添付図面に示す実施例においては、ドラム１の回転中心と両側に配置した２個の滑車３の上端部とを同一水平面上に位置させたものにおいて、更に、ドラム１の軸６と２個の滑車３の軸７とを互いに平行にし、ドラム１の軸６を昇降装置本体８の中心軸１０に対して平面視において傾斜させ、２個の滑車３を昇降装置本体８の中心軸１０に対して平面視で直交する線１１上に位置させドラム１の回転中心と両側に配置した２個の滑車３の上端部とを同一水平面上に位置させた構成となっているものを示しているが、ドラム１の回転中心と両側に配置した２個の滑車３の上端部とを同一水平面上に位置させた構成のみを備えたもの、あるいは、ドラム１の軸６と２個の滑車３の軸７とを互いに平行にし、ドラム１の軸６を昇降装置本体８の中心軸１０に対して平面視において傾斜させ、２個の滑車３を昇降装置本体８の中心軸１０に対して平面視で直交する線１１上に位置させドラム１の回転中心と両側に配置した２個の滑車３の上端部とを同一水平面上に位置させた構成のみを備えたものであってもよい。
【００１４】
【発明の効果】
本発明の請求項１記載の発明にあっては、上述のように、ワイヤ巻取り用の単一のドラムと、該ドラムに接続され且つドラムの両側に引き出された２本のワイヤと、ドラムの両側方に配置されて２本のワイヤの方向を転換する２個の滑車と、滑車により方向転換された２本のワイヤに接続された被吊り下げ物とで構成されているから、１個のドラムに２本のワイヤを巻き取ったり、巻き戻したりすることで機構を簡略化できて、スムーズな昇降ができるものであり、また、動滑車がないことで被吊り下げ物の昇降スピードを速くすることができるものである。また、ドラムの回転中心と両側に配置した２個の滑車の上端部とを同一水平面上に位置させるので、２本のワイヤが完全に巻き戻された場合には両ワイヤにかかる被吊り下げ物からの引っ張り力はドラムの中心においては相殺されることになり、この結果、モータの出力軸等の軸やギヤ等が破損しにくく、長期間にわたってスムーズに昇降できるものである。また、ドラムの外周部を軸方向に２区画に分けて２つの巻取り部を形成し、一方の巻取り部に一方のワイヤを巻取り且つ他方の巻取り部に他方のワイヤを巻取るように設定し、ドラムの軸と２個の滑車の軸とを互いに平行にすることで、２本のワイヤをそれぞれ２つの巻取り部にそれぞれ独立して巻き取ることができて、整列巻きがし易いものであり、しかも、この場合、各巻取り部に巻かれるワイヤは巻取り長さが短くなることで、いっそう正確に整列巻きが行えるものである。
【図面の簡単な説明】
【図１】（ａ）（ｂ）は本発明の一実施例のドラムと滑車の位置関係を示す概略平面図及び概略正面図である。
【図２】（ａ）（ｂ）は同上のワイヤの巻取りを示す概略平面図及び概略正面図である。
【図３】（ａ）（ｂ）は同上のワイヤの巻き戻しを示す概略平面図及び概略正面図である。
【図４】（ａ）（ｂ）は本発明の他の実施例を示す概略平面図及び概略正面図である。
【図５】（ａ）（ｂ）は本発明の更に他の実施例を示す概略平面図及び概略正面図である。
【図６】（ａ）（ｂ）は従来例の機構を示す概略平面図及び概略正面図である。
【図７】従来例の機構を示す概略斜視図である。
【符号の説明】
１  ドラム
２  ワイヤ
３  滑車
４  被吊り下げ物
５ａ  巻取り部
５ｂ  巻取り部
６  軸
７  軸
８  昇降装置本体
１０  中心軸
１１  線
【図１】
0003682074.tif 000002
【図２】
0003682074.tif 000003
【図３】
0003682074.tif 000004
【図４】
0003682074.tif 000005
【図５】
0003682074.tif 000006
【図６】
0003682074.tif 000007
【図７】
0003682074.tif 000008